(57)【要約】  少なくとも２つのチャネルを持つ通信システム上で媒体にアクセスする方法において、マルチチャネルデバイスが帯域幅を増加させる目的で少なくとも２つのチャネルをグループ化する。その方法は、チャネルがグループ化される前に各個別のチャネルに対してプリアンブル及びヘッダを送信することによりマルチチャネルデバイスとシングルチャネルデバイスとが共存することを可能にする。チャネルをスキャンすることができるシングルチャネルデバイスは、こうして、後に続くメッセージがそれ自身に対して意図されたものでないことを検出する。
2007511972.tif 000002
【特許請求の範囲】
【請求項１】
マルチチャネルデバイスにより媒体にアクセスする方法において、前記媒体が少なくとも２つのチャネルを持つ通信システムを有し、前記チャネルにおいて、送信されるメッセージはプリアンブル及びヘッダに加え、後続する制御セクション又はデータセクションを少なくとも有し、前記メッセージの前記プリアンブル及びヘッダが前記チャネルのすべての上で繰り返されることを特徴とする方法。
【請求項２】
前記プリアンブル及びヘッダが、前記すべてのチャネル上で並列に繰り返されることを特徴とする請求項１に記載の方法。
【請求項３】
送信される前記メッセージが、送信要求、受信準備完了、アクノリッジメント及びデータタイプのいずれかであることを特徴とする請求項１に記載の方法。
【請求項４】
前記マルチチャネルデバイスが、媒体アクセス制御プロトコルを持つ標準規格IEEE 802.11、つまり802.11e又は802.11nに対し動作し、前記媒体アクセス制御プロトコルに属する情報の項目の少なくともいくつかは、前記すべてのチャネル上で繰り返されることを特徴とする請求項１及び２のいずれかに記載の方法。
【請求項５】
前記媒体アクセスが、標準規格IEEE 802.11、つまり802.11e又は802.11nの下で行われ、前記送信要求、前記受信準備完了、前記アクノリッジメント制御フレームが前記すべてのチャネル上で送信され、シングルチャネルデバイスは、前記送信要求／前記受信準備完了データパケットにおける前記情報に基づき、ネットワークアローケーションベクタをセットすることを特徴とする請求項１乃至４のいずれか一項に記載の方法。
【請求項６】
マルチチャネルデバイスにより媒体にアクセスする方法において、前記媒体が、前記マルチチャネルデバイスが通信のために要求することになるチャネルを少なくとも２つ持つ通信システムを有し、
前記マルチチャネルデバイスにより、通信のために要求される前記チャネルのすべてをスキャンするステップと、
前記チャネルの１つがアイドルであること、又は前記デバイス自身により前記チャネル上でバックオフが行われていることを発見するステップと、
前記マルチチャネルデバイスにより該チャネルを他のデバイスに対してブロックするステップと、
要求される前記他のチャネルを追加的にスキャンするステップと、前記関連するチャネルがアイドルであること、又は前記関連するチャネルに対するバックオフが行われていることを発見するとき、該他のチャネルのブロック又は予約を行うステップとにより特徴付けられる方法。
【請求項７】
前記チャネルをブロックする前記ステップが、前記マルチチャネルデバイスと前記受信デバイスとにより行われ、前記マルチチャネルデバイスと前記受信デバイスとはそれぞれ予約メッセージを発行することを特徴とする請求項６に記載の方法。
【請求項８】
前記予約メッセージが、送信要求フレーム及び受信準備完了フレームの形式で実現され、前記送信要求フレーム及び受信準備完了フレームは、
送信を行う前記マルチチャネルデバイスの周囲の領域にあるデバイスが、ネットワークアローケーションベクタをセットすることになるよう、前記マルチチャネルデバイスにより前記フリーなチャネルを介して送信要求フレームを送信するステップと、
前記受信端末の周囲の領域にある端末がネットワークアローケーションベクタをセットすることになるよう、前記受信デバイスにより前記フリーなチャネルを介して受信準備完了フレームを送信するステップとに基づき送信されることを特徴とする請求項７に記載の方法。
【請求項９】
前記マルチチャネルデバイスが、自身が以前にブロックした前記チャネルのすべてを介して、チャネルグループ化を用いて前記送信を実行することを特徴とする請求項７に記載の方法。
【請求項１０】
前記チャネルをブロックする前記ステップが、前記マルチチャネル端末が前記チャネルの１つを介して前記送信を開始することにより行われ、前記送信は、送信要求-受信準備完了機構を伴い又は伴わずに行われることができることを特徴とする請求項６に記載の方法。
【請求項１１】
マルチチャネルデバイスにより媒体にアクセスする方法において、前記媒体が、前記マルチチャネルデバイスが通信のために要求することになるチャネルを少なくとも２つ持つ通信システムを有し、送信機及び受信機と独立した第３のデバイスは、送信することを望む前記マルチチャネルデバイスのための前記チャネルグループにおける前記チャネルを予約又はブロックすることを特徴とする方法。
【請求項１２】
前記第３のデバイスが、複数のチャネルに対する媒体アクセスを調整する責任を負うことを特徴とする請求項１１に記載の方法。
【請求項１３】
前記チャネルグループにおける個別のチャネルが同時にフリーではない場合、前記第３のデバイスは、二者択一的に、
(a)  前記チャネルグループにおけるすべてのチャネルがフリーになる時間まで、１つのチャネル又は個別のチャネルがブロックされること、又は
(b)  送信することを望む前記マルチチャネルデバイスにフリーであるチャネルが直ちに割りあてられることをもたらすことを特徴とする請求項１１又は１２に記載の方法。
【請求項１４】
前記媒体アクセスが、標準規格IEEE 802.11つまり802.11e又は802.11nの下で行われ、前記第３のデバイスは、ハイブリッドコーディネータ又はポイントコーディネータであることを特徴とする請求項１１乃至１３のいずれか一項に記載の方法。
【請求項１５】
前記ポイントコーディネータ又は前記ハイブリッドコーディネータが、いわゆるビーコンを前記すべてのチャネルに対して並列に送信することを特徴とする請求項１４に記載の方法。
【請求項１６】
標準規格であるユニバーサル・モバイル・テレコミュニケーション・システムUMTSを採用する通信システムに対する請求項１乃至１５のいずれか一項に記載の方法の使用。
【請求項１７】
少なくとも２つのチャネルを持つ通信システムを有する媒体にアクセスすることを意図されるマルチチャネルデバイスであって、前記マルチチャネルデバイスが、前記媒体にアクセスする目的で、請求項１又は請求項６に記載の方法を行うことが意図されるマルチチャネルデバイス。
【請求項１８】
少なくとも２つのチャネルを持つ通信システムを持ち、請求項１７に記載のマルチチャネルデバイスを少なくとも１つ持つ無線ネットワーク。
【発明の詳細な説明】
【技術分野】
【０００１】
本発明は、マルチチャネルデバイスによる媒体へのアクセス方法に関する。その媒体は、少なくとも２つのチャネルを持つ送信システムを有する。そのチャネル上では、送信されるメッセージが少なくともプリアンブルとヘッダと、加えて後続するデータフィールドとを有する。そのデータフィールドは、「有益な情報」と呼ばれるユーザデータか、又は例えばその媒体へのアクセスを調整する制御情報のどちらかを含むことができる。分散化された媒体アクセスの方法及び中央集中化された媒体アクセスの方法が主張される。
【背景技術】
【０００２】
通信システムの周波数帯域は、しばしば、チャネルと呼ばれるサブバンド(sub-band)に分割される。チャネル上では、単一の通信リンクか、又はシステムの完全なセルのいずれかが動作する。後者は、例えば、802.11a/eやHiperLAN/2無線ローカルエリアネットワーク(WLAN)の場合である。802.11a/e WLANに関しては、非特許文献１に記載の基本仕様、非特許文献２及び非特許文献３が、本書では参照により含まれる。
【０００３】
チャネルの帯域幅は、セル内での２端末(station)間で得られることのできる最大データレート、言い換えるとセルのキャパシティへの制限を課す。通信システムのキャパシティを増大させる一つの可能な方法は、通信チャネルの帯域幅を拡張することである。プリセットされたチャネル定義に基づき、これは、一層大きな幅を持つ一つのチャネルを得るために、２つ又はそれ以上のチャネルをグループ化することにより達成されることができる。この手法は、理論上は知られており、あるWLANシステムにおいて実現されている。そのシステムにおいては、高いデータレートが得られており、処理におけるいわゆる「ターボ」モードと呼ばれる。
【０００４】
通信システムにおいては、ある程度多数の端末が存在する。これらのうち、２つ又はそれ以上が、お互いに一時的な接続を同時になす。チャネルのグループ化は、関連するすべての端末が、データレートが高い状態のモードで動作する場合にのみ行われることができる。チャネルのグループ化のためには、すべての端末又はターミナル(terminal)に対する１つの標準規格が存在していなければならない。しかしながら、移動体通信はまさに、端末の製造業者が多様に存在し、その端末が標準化されていないチャネルグループ化を採用するという領域である。チャネルグループ化は、性能特性として、開発及び製造に関し追加的な支出を必要とするので、費用が原因で、端末の製造業者が一方でチャネルグループ化を採用する携帯端末(hand terminal)を提供し、他方でこの性能特性を持たない携帯端末を提供する場合もありうる。また、チャネルグループ化が通信システムに導入される前に開発され販売された旧式の端末は、高いデータ通信レートを持つモードでの動作が不可能である。
【０００５】
標準規格IEEE 802.11eは、媒体アクセスに関する分散化されたスキーム及び中央集中化されたスキームの両方を結合する。このために用いられることのできるアルゴリズムが、802.11システムを例として説明されることになる。基本の802.11 MACプロトコルは、リッスン・ビフォー・トーク(listen-before-talk)スキームとして動作する自律分散制御(DCF)である。自律分散制御は、搬送波感知多重アクセス(CSMA)に基づく。無線媒体において、他の通信が何ら行われていないことが検出されると、端末は2304バイトを上限とする任意長のMACサービスデータユニット(MSDU)を発行する。しかしながら、２つの端末が同時にチャネルがフリー(free:通信状態にない)であることを検出すると、両者が共に使用する無線通信媒体を介して、つまり空中を介してデータが送信されるとき、コリジョン(collision:衝突)が発生する。802.11 MACプロトコルは、この種のコリジョンの可能性を減らすために、コリジョン回避(CA)の機構を規定する。それは、コリジョン回避機構の一部であるが、送信を開始する前に、端末は、待ちプロセス又はバックオフプロセス(backoff process:再送遅延処理)を行う。端末は、チャネルがフリーであることを検出した後、追加的にランダムな時間期間、チャネルをリッスン(listening out)し続ける。この追加的なランダムな時間期間チャネルがフリーである状態を保つ場合にのみ、その端末は通信を開始することを許可される。このランダムな待ち時間は、コンスタントな部分とランダムな部分とを有する。コンスタントな部分は、DCFインターフレームスペース(DIFS)と呼ばれ、802.11a MACプロトコルの場合34マイクロ秒の長さである。ランダムな部分は、ゼロと最大時間との間の長さを持つ。DIFSスペースは、従って、その端末に対する最小可能待ち時間である。待ち時間のランダムな部分の長さは、タイムスロット(スロット時間)の長さの倍数として得られる。その長さは、802.11a MACプロトコルの場合9マイクロ秒である。各端末は、待たれるべきスロットタイムの数に対応するランダムな値を引き出し(draw)、それをいわゆるコンテンションウインドウ(contention window)(CW)に格納する。9マイクロ秒の各期間の終了の際、CWの値が１減らされる。
【０００６】
データフレームの受信に成功する度に、受信端末は直ちにアクノリッジメントフレーム(ACK)を送信する。コンテンションウインドウの大きさは、通信に失敗する場合、つまり送信されたデータフレームのACKが受信されない(not acknowledged)場合に拡大される。送信時における試みが失敗すると毎回、新しい媒体アクセスが新たな待ち時間の後実行される。その新たな待ち時間は、現在のコンテンションウインドウの２倍に等しい長さであるよう選択される。これは、複数の端末がそのチャネルに対するアクセスを得ようと試みる場合にコリジョンの確率を減少させる。チャネルがビジー(busy)であった時間の間にチャネルアクセスを延期したそれらの端末は、新たなランダムな待ち時間を選択することはないが、チャネルが再度アイドルとなることを検出すると、その延期された媒体アクセスのため時間のカウントダウンを継続する。こうして、他の端末と比較して長いランダムな待ち時間が原因で、チャネルアクセスを延期した端末は、端末が送信を開始しようとする試みを再開するとき高い優先度を与えられる。送信に成功した後、毎回、送信端末は、たとえその時送信するための追加的なMSDUを持たないとしても、新たなランダムな待ちプロセス(バックオフ)を行う。これは、いわゆる「ポストバックオフ」である。なぜなら、この待ちプロセスは、送信前ではなく送信後に行われるからである。
【０００７】
802.11 MACプロトコルの下では、端末がデータを送信し始めることができる前に、ランダムな持続時間の待ちプロセス(バックオフ)を端末が行う必要がない状況が存在する。この状況は、より高位層からのMSDUが端末に到着し、最後の送信に対するポストバックオフが既に完了している場合、又は言い換えると、キューが存在せず、加えてチャネルが最小のDIFS時間の間アイドルである場合に生じる。このMSDUの後に到着するすべての後続するMSDUは、再度キューがなくなるまで、ランダムな待ち時間の後送信されることになる。
【０００８】
長いフレームがコリジョンを生じ(colliding:衝突し)、一度以上送信される可能性を抑えるため、データフレームもフラグメント化される(fragmented)。長いMSDUは、フラグメンテーションにより、複数の小さなデータフレーム、つまりフラグメントに分割されることができ、それはデータフレームに対して個別にACKが受信されるので(acknowledged)連続的に送信されることができる。フラグメンテーションの利点は、送信に失敗する場合、この失敗が初期の時間点において検出されることができ、従って、少ないデータのみが再送されなければならないことである。
【０００９】
CSMAを用いるシステムにおいて、隠れ端末(hidden station)の問題がある。これはCSMAシステムにおける固有の問題であり、オプションとして使用されることができる送信要求(request-to-send)/受信準備完了(clear-to-send)(RTS/CTS)機構をシステムが規定することを緩和する。データフレームが送信される前に、システムが短いRTSフレームを送信することが可能である。それは、受信端末からのCTS送信により続かれる。RTS及びCTSフレームは、次のデータフレーム、つまり、第１のフラグメントと、対応するACK応答との送信時間の長さに関する情報を含む。こうして実現される事は、送信端末に近い別の端末と、受信端末に近い隠れ端末とが、送信を開始しないことである。なぜなら、それらは、いわゆるネットワーク・アロケーション・ベクタ(NAV)と呼ばれるカウンタをセットするためである。RTS/CTS機構は、隠れ端末に対して長いデータフレームを保護する役に立つ。フラグメンテーションにより、非常に多数のACKが送信される。一方で、RTS/CTSにより、MSDUは、一つのデータフレームで効率的に送信されることができる。RTSフレーム、CTSフレーム、データフレーム及びACKフレームのシーケンスにおいて連続するフレームのそれぞれのペアの間で、802.11aの下では16マイクロ秒の長さである、ショート・インターフレームスペース(SIFS)が存在する。
【００１０】
図１は、従来技術に関連し、自律分散制御(DCF)の例を示す図である。ショート・インターフレームスペース(SIFS)は、DCFインターフレームスペース(DIFS)より短い。その結果として、CTS応答フレーム及びアクノリッジメントフレーム(ACK)は常に無線媒体へのアクセスに関して高い優先度を持つ。MACプロトコルの最新バージョンである802.11eプロトコルにおいては、拡張自律分散制御(EDCF)が導入されており、それは未だ同様に動作するが、加えて、例えば、アクセス優先度のような異なるタイプのトラフィックもサポートする。図１に示される６つの端末に対する時間ベースの図において、端末６は、送信を行っている端末２のRTSフレームを検出することができないが、端末１のCTSフレームを検出することはできる。
【００１１】
別の知られた機能である、ハイブリッド・コーディネーション・ファンクション(HCF)は、(E)DCFアクセスに対する規則を拡張する。802.11e MACに不可欠な性能特性は、トランスミッション・オポチュニティ(TXOP)である。TXOPは、開始時間により規定される、端末が送信を開始するための権利を受信する時点と、最大持続時間との間の間隔として規定される。TXOPは、コンテンション(EDCF-TXOP)を用いて割り当てられるか、又はHCF(ポーリング(polled)TXOP)により与えられる。ハイブリッド・コーディネータ(HC)と呼ばれるセル内の１端末だけが、他の端末に送信許可を、つまり、TXOPを与えることができる。ポーリングTXOPの持続時間は、割り当てるフレーム内の時間フィールドにより特定される。ハイブリッド・コーディネータは、MSDU送信が開始されることを可能にするのに、いつでもTXOPをそれ自身に対し割り当てることができるが、PIFS(ポイント・コーディネータ・インターフレーム・スペース、集中制御用フレーム間隔)に等しい時間の間、チャネルがアイドルであることを検出する場合のみである。PIFSの時間は、DIFSの時間よりも短い。
【００１２】
コリジョンが減らされることを可能にする追加的なランダムアクセス・プロトコルが802.11eプロトコルの一部として規定される。いわゆるコントロールド・コンテンション(controlled contention)は、その送信要求に関して、どの端末が、どんなときに問い合わせられる必要があるかを学習する機会をハイブリッド・コーディネータに与える。コントロールド・コンテンション機構は、ソースクエリを送信することにより、他の(E)DCFトラフィックを干渉することなく、ポーリングTXOPが割り当てられることを端末が要求することを可能にする。
【非特許文献１】ANSI/IEEE Std 802.11、1999 edition
【非特許文献２】”IEEE Std 802.11a-1999: High-speed Physical Layer in the 5 GHz Band, Supplement to Standard IEEE 802.11”、IEEE New York、Sep.1999
【非特許文献３】”IEEE Std 802.11e/D4.2: Medium Access Control(MAC) Enhancements for Quality of Service(QoS)、Draft Supplement to Standard IEEE 802.11”、IEEE New York、Feb.2003
【発明の開示】
【発明が解決しようとする課題】
【００１３】
本発明の目的は、少なくとも２つのチャネルを持つ通信システムにおけるマルチチャネルデバイスによる媒体アクセスのための方法を特定することにある。その方法は、チャネルグループ化の性能特性を持たない端末に、その通信システムにおける送信及び受信の機会を与える。つまり、シングルチャネルデバイスとマルチチャネルデバイスとが共存することを可能にする方法である。方法は、分散化された機構と中央集中化された機構とに対して特定されることになる。
【課題を解決するための手段】
【００１４】
上記目的は、マルチチャネルデバイスによる媒体へのアクセス方法による本発明に基づき達成される。その媒体は、少なくとも２つのチャネルを持つ通信システムを有し、そのチャネル上で送信されるメッセージは、少なくともプリアンブル、ヘッダ、及び後続する、フレームのコントロールセクション又はデータセクションを有し、そのメッセージのプリアンブル及びヘッダは、すべてのチャネルに対して繰り返される。フレームにおける制御情報がすべてのチャネルに対して繰り返される結果として、シングルチャネルデバイスでさえ、プリアンブル及びヘッダをピックアップし、標準準拠待ちプロセスを、可能であれば(possibly)ランダムなバックオフ時間を伴い行うことができる。PHY及びMACヘッダがすべての周波数チャネルに対して繰り返されなかった場合、シングルチャネルデバイスは、送信を認識することはないであろうし、不定(indeterminate)時間長に対してそのチャネルをブロックする干渉であると解釈することになろう。
【００１５】
本発明の１つの実施形態において、プリアンブル及びヘッダは、すべてのチャネルに対して並列に繰り返される。メッセージのこうした部分の並列な送信は、チャネルがフリーになるまで開始することができない。シミュレーションは、並列な送信の結果として生じる、データ通信レートにおける損失が比較的小さいことを示した。
【００１６】
追加的な実施形態において、後続する、フレームのコントロールセクション又はデータセクションは、送信要求(RTS)、受信準備完了(CTS)、アクノリッジメント(ACK)又はデータ(DATA)のグループから取られる。
【００１７】
本発明における特別な実施形態において、マルチチャネルデバイスは、媒体アクセス制御(MAC)プロトコルを持つ標準規格であるIEEE 802.11つまり802.11e又は802.11nに対して動作する。そしてプリアンブル及びヘッダだけではなく、少なくともいくつかのMACプロトコルに属する情報の項目も、すべてのチャネルに対して繰り返される。
【００１８】
もし媒体アクセスが標準規格802.11つまり802.11eの下で行われると、RTS、CTS及びACK制御フレームがすべてのチャネルに対して送信される。それは、シングルチャネルデバイスが、そのネットワーク・アロケーション・ベクタ(NAV)を、RTS/CTSデータパケットに含まれる情報に基づきセットすることを意味する。NAVの設定は、カウンタが開始することをもたらし、ターゲットカウントが到達されるまで無線通信媒体にアクセスする試みが何らなされない。
【００１９】
上記目的は、マルチチャネルデバイスによる媒体へのアクセス方法による本発明に基づいても達成される。その媒体は、マルチチャネルデバイスが通信のために要求することになる少なくとも２つのチャネルを持つ通信システムを有し、その方法は以下の
−  マルチチャネルデバイスにより通信のために要求されるすべてのチャネルをスキャンするステップと、
−  これらのチャネルのうちの単一のチャネルがアイドルであること又はデバイス自身によるバックオフがこのチャネルで行われていることを発見するステップと、
−  マルチチャネルデバイスによりこのチャネルを他のデバイスに対してブロックするステップと、
−  要求される他のチャネルを更にスキャンし、関連するチャネルがアイドルであるか又はその関連するチャネルでバックオフが行われていることを発見するとき、そのチャネルのブロック又は予約を行うステップとを有する。
【００２０】
個別のチャネルの連続的なブロッキングの結果として最終的に達成されるものは、通信のために要求されるすべてのチャネルがアイドルである状態である。ブロックされたチャネルをスキャンする他のデバイスは、チャネルがアイドルではないことを認識し、そこで自分達自身では通信を開始しない。メッセージの送信は、それからグループ化されたチャネルを用いて、こうして高いデータレートで行われることができる。
【００２１】
ある実施形態において、アイドルであるチャネルのブロッキングは、マルチチャネルデバイスと受信デバイスとにより行われる。それらはそれぞれ予約メッセージを発行する。
【００２２】
ある実施形態において、予約メッセージは、RTS及びCTSフレームの形式で実現され、それは以下の
−  マルチチャネルデバイスにより、送信を行うそのマルチチャネルデバイスの周囲の領域におけるデバイスがそのNAVをセットすることになるよう、フリーなチャネルを介してRTSフレームを送信するステップと、
−  その受信デバイスにより、その受信端末の周囲の領域における端末がそのNAVをセットすることになるよう、そのフリーなチャネルを介してCTSフレームを送信するステップとにより送信される。
【００２３】
マルチチャネルデバイスは、この場合、以前にブロックされたすべてのチャネルに対して、チャネルグループ化を用いてその送信を実行することができる。
【００２４】
ある実施形態において、アイドルであるチャネルを所定の時間期間ブロックすることが、マルチチャネルデバイスがシングルチャネルを介した送信を開始することにより行われる。マルチチャネルデバイスは、RTS-CTS機構を伴い又は伴うことなく二者択一的にそれを行う。RTS-CTS機構が必要とするものは、
−  マルチチャネル端末によるフリーなチャネルを介したRTSフレームの最適な送信と、
−  受信端末によるCTSフレームの最適な送信と、
−  マルチチャネル端末によるフリーなチャネルを介したデータフレームの送信(と、チャネルのブロッキングと)である。
【００２５】
上記目的は、マルチチャネルデバイスによる媒体へのアクセス方法による本発明に基づいても達成される。その媒体は、マルチチャネルデバイスが通信のために要求することになる少なくとも２つのチャネルを持つ通信システムを有し、その方法において(送信機及び受信機とは独立した)第３のデバイスが、送信を希望するマルチチャネルデバイスのためのチャネルグループにおけるチャネルを予約し、ブロックする。この第３のデバイスは、同期ビーコンを発行することに対してネットワーク上で責任を負う。
【００２６】
ある実施形態において、その第３のデバイスは、複数のチャネルに対する媒体アクセスを調整することに責任を負う。
【００２７】
ある実施形態において、チャネルグループにおける個別のチャネルが同時にフリーとはなっていない場合に、第３のデバイスが二者択一的に
(a)  そのチャネルグループにおけるすべてのチャネルがフリーになる時間まで、１つのチャネル又は個別のチャネルがブロックされる、又は
(b)  フリーになるチャネルが、送信することを希望するマルチチャネルデバイスに直ちに割り当てられることをもたらす。
【００２８】
ある実施形態において、媒体アクセスは、標準規格IEEE 802.11つまり802.11e又は802.11nの下で行われる。そしてその第３のデバイスは、一般的にいわゆるハイブリッドコーディネータ又はポイントコーディネータである。チャネルの中央集中化された予約が第３のデバイスにより行われる。それは、チャネルグループにおけるすべてのチャネルに対してビーコンを発行することに責任を負うと同時に、フリーであることを保つか、又は送信を希望するマルチチャネル端末に対してチャネルグループ内のすべてのチャネルを予約する。もしその第３のデバイス又は端末が、すべてのチャネルに対する媒体アクセスを調整することに責任を負う場合、同時に使用されることができるフェーズがチャネルグループに含まれるすべてのチャネル上のマルチチャネルデバイスに対して与えられる態様で、その第３のデバイス又は端末は、すべてのチャネルに対してそのデバイスを予約することができる。にもかかわらず、そのチャネルグループにおける個別のチャネルは、同時にフリーになるべきではなく、そのチャネルグループにおけるすべてのチャネルがフリーになるまで、その第３の端末がマルチチャネル端末に対するチャネルを確保することができるような２つの異なる態様が存在する。
【００２９】
本方法の好ましい実施形態において、媒体アクセスは、標準規格であるIEEE 802.11つまり802.11e又は802.11nの下で行われる。そしてその第３のデバイスは、ハイブリッドコーディネータ又はポイントコーディネータである。
【００３０】
本方法の追加的な実施形態において、そのポイントコーディネータ又はハイブリッドコーディネータは、すべてのチャネルに対していわゆるビーコンを並列に送信する。その送信は、必要であれば、同時に又は同期化された態様で行われることができる。
【００３１】
本発明による方法は、スタンダード・ユニバーサル・モバイル・テレコミュニケーション・システム(UMTS)を用いる通信システムで採用されることができる。
【発明を実施するための最良の形態】
【００３２】
本発明のこれら及び他の側面は、本書に説明される実施形態より明らかとなり、実施形態を参照して説明されるだろう。
【００３３】
図２は、従来技術における送信の時間ベースの図である。送信は、チャネルがアイドルであるときでさえ、常にただ一つのチャネルでのみ行われる。アイドルであるチャネルは、本ケースにおいては、チャネル３(ch3)が該当する。
【００３４】
図３は、本発明による方法の第１の変形例(variant)の時間ベースの図である。メッセージについての可能な例が、６つのチャネルのそれぞれの１つに示される。２つの端末は、通常、交互にRTSフレーム、CTSフレーム、DATAフレーム及びACKフレームを送信することによりチャネルを介して通信する。時間T1において、マルチチャネルデバイスは、チャネルグループ化を用いてデータを送信し始めようとする。本例において、６つのチャネルをスキャンすると、チャネル１、２及び５がアイドルであることを示す。すると直ちに、プリアンブル及びヘッダPRに続き、RTSフレームがまず送信され、CTSフレームがそれから受信される。この場合並列に３つのCTSフレームを受信すると、チャネル１、２及び５は、ブロックされる。それは、シングルチャネルデバイスかマルチチャネルデバイスかに関係なく、いずれかの他の端末がそれらのNAVをセットすることを意味する。時間T2において、マルチチャネルデバイスは、チャネル４がアイドルであることを検出する。すると直ちに、RTS-CTS手続が行われ、そしてこのチャネルはブロックされる。同じことが時間T3でチャネル３にも生じる。６つのチャネルのうち５つが一旦ブロックされると、最後のチャネル、つまりチャネル６もまたアイドルであると認識されるとき、データの送信が時間T4で開始される。プリアンブル及びヘッダPRは、６つの個別のチャネルを介して送信され、データDATAの送信は、高いデータレートが達成される手段であるチャネルグループ化を用いて行われる。データの送信が完了すると、送信マルチチャネルデバイスは、各個別のチャネル上で、プリアンブル及びヘッダPRに続き、アクノリッジメントフレームACKを受信する。この変形例の利点は、データの送信が、固定の高いデータレートで発生後直ちに(right at the outset)開始し、すべてのチャネル上で同時に開始することである。
【００３５】
図４は、本発明による方法の第２の変形例における時間ベースの図である。本例においては、マルチチャネルデバイスによるスキャンが開始する前に、メッセージとそのチャネルに関するビジー／アイドル状態とが図３において同じであると仮定される。しかしながら、アイドル状態にあるチャネルに関しては、データの送信は、それらをブロックする目的で開始される。それはこの場合時間T4で発生する。別のチャネル上では、チャネルがアイドルであることが検出されるとすぐ(可能であれば間をおいた後)、送信が開始する。それは、本例において、チャネル４での時間T5及びチャネル３での時間T6がその場合であると検出される。時間T7において、最後のチャネル、つまりチャネル６も同様な状態に置かれる。このチャネル上で、まずメッセージは、プリアンブル及びヘッダを伴い開始する。これに続き、チャネルグループ化が６つのチャネルすべてを用いるDATAフレームに対して行われる。データの送信の開始T4において、３つの個別のチャネルが並列に使用され、時間T7でのみ帯域幅がチャネルグループ化により増加される。
【００３６】
３つの図すべてに当てはまることだが、コントロールフレームの終端と、プリアンブル及びヘッダの開始との間に示されるスペースは、ここに短い間が存在する場合があることを示すためのものである。
【図面の簡単な説明】
【００３７】
【図１】従来技術に関連し、自律分散制御(DCF)の例を示す図である。
【図２】従来技術における送信の時間ベースの図である。
【図３】本発明による方法の第１の変形例における時間ベースの図である。
【図４】本発明による方法の第２の変形例における時間ベースの図である。
【図１】
2007511972.tif 000003
【図２】
2007511972.tif 000004
【図３】
2007511972.tif 000005
【図４】
2007511972.tif 000006
【国際調査報告】
2007511972.tif 000007
2007511972.tif 000008
2007511972.tif 000009
2007511972.tif 000010